(57)【要約】【課題】打設したコンクリート中に間隔保持具の残骸が残らないように撤去できるコンクリート型枠用間隔保持具を提供することを目的とする。【解決手段】間隔保持具１０は、直線状のピアノ線の一端をフック状に折り曲げてコンクリート型枠ａの下端部に係止する係止部１２を形成するとともに、他端を所要形状に折り曲げて外側係止部１３と内側係止部１４を形成し、内外両係止部でコンクリート型枠ａの下端部が係合されるように構成する。打設後のコンクリートｇ内に間隔保持具１０の残骸が埋設されることが無いので、残骸の腐食によるコンクリートｇの劣化を来たさない。【選択図】図１
2005155237.tif 000002
【特許請求の範囲】
【請求項１】
対向して配置される一対のコンクリート型枠の両下端部に装着して両コンクリート型枠を所定間隔に保持するコンクリート型枠用間隔保持具であって、一本の鋼線から成り、直線部と該直線部の両端をそれぞれ折り曲げてコンクリート型枠の下端部に係止する係止部を形成したことを特徴とするコンクリート型枠用間隔保持具。
【請求項２】
前記両係止部の少なくとも一方にブラケットを装着し、該ブラケットの一部を折り曲げて前記コンクリート型枠の下端部に係止するように構成したことを特徴とする請求項１に記載のコンクリート型枠用間隔保持具。
【発明の詳細な説明】
【技術分野】
【０００１】
本発明は、コンクリート型枠用間隔保持具に関する。
【背景技術】
【０００２】
従来のコンクリート型枠用間隔保持具Ａは図２０に示すように、短冊状の板材ｂの両端を折曲して外側位置規制片ｃを形成し、各外側位置規制片ｃの内側で板材ｂの中間部を切り起こして内側位置規制片ｄを形成し、両位置規制片ｃ，ｄによりコンクリート型枠ｆの端部を係止する型枠嵌合部ｅを形成した構造を備えている。
かかる構造のコンクリート型枠用間隔保持具Ａによれば、対向する一対のコンクリート型枠ｆの下端部をそれぞれ型枠嵌合部ｅに嵌合し、上端部をそれぞれ別の保持具Ａの型枠嵌合部ｅに嵌合することで、両コンクリート型枠ｆが所定間隔で立設保持される。
そして、コンクリートｇの硬化後に上側の間隔保持具Ａをコンクリート型枠ｆから外すとともに、コンクリート型枠ｆを下側の間隔保持具Ａの型枠嵌合部ｅから外し、下側の間隔保持具Ａの側面へハンマー等で打撃を加えることで、コンクリートｇから露出した型枠嵌合部ｅを分離する。
【特許文献１】特開平９−４２２５
【非特許文献１】引用なし
【発明の開示】
【発明が解決しようとする課題】
【０００３】
上記の構成による間隔保持具Ａを用いた場合、打設したコンクリートｇに間隔保持具Ａの板材ｂが残骸として埋設され、やがて腐食してコンクリートｇの劣化の一因となる。
【０００４】
本発明は上記の課題に鑑み為されたものであって、硬化したコンクリート中に残骸が残らないように撤去できるコンクリート型枠用間隔保持具を提供することを目的とする。
【課題を解決するための手段】
【０００５】
上記目的を達成するため本発明は、対向して配置される一対のコンクリート型枠の両下端部に装着して両コンクリート型枠を所定間隔に保持するコンクリート型枠用間隔保持具であって、一本の鋼線から成り、直線部と該直線部の両端をそれぞれ折り曲げてコンクリート型枠の下端部に係止する係止部を形成する。
そして好ましくは、前記両係止部の少なくとも一方にブラケットを装着し、該ブラケットの一部を折り曲げて前記コンクリート型枠の下端部に係止する。
【発明の効果】
【０００６】
本発明に係るコンクリート型枠用間隔保持具は、対向して配置した一対のコンクリート型枠間に注入されるコンクリートの圧力を、高張力を有する鋼線で受けることにより両型枠を所定間隔に保持する。
しかして、本発明によれば、間隔保持具を一本の鋼線で構成したので、コンクリート硬化後に型枠を取り外し、コンクリートから露出している両係止部のいずれか一方を直線部分から切断して除去し、ついで他方の係止部を掴み、コンクリート中に埋設している直線部を引き抜くことができる。このため、コンクリート中に間隔保持具の残骸が残らない。
また、係止部にブラケットを装着し、このブラケットの一部を折り曲げて型枠の下端部に係止することにより、間隔保持具を型枠から脱落しないように確実に装着できる。
さらに、ベースコンクリートと型枠の下端面との間は隙間がほとんど生じないので、型枠間に流し込んだコンクリートが型枠の外部に漏出し難くすることができる。
【発明を実施するための最良の形態】
【０００７】
本発明による間隔保持具は、直線状のピアノ線の一端をフック状に折り曲げてコンクリート型枠の下端部に係止する係止部を形成するとともに、他端を所要形状に折り曲げて外側係止部と内側係止部を形成し、内外両係止部でコンクリート型枠の下端部が係合されるように構成する。
【実施例１】
【０００８】
以下に本発明を図面に基づき説明する。図１には本発明の第１実施例に係るコンクリート型枠用間隔保持具が示されている。当該間隔保持具１０は一本のピアノ線からなり、直線部１１と、直線部１１の一端に形成したフック状の係止部１２と、他端に形成した外側係止部１３、内側係止部１４及び内外両係止部１３，１４を連結する連結部１５を有する。
【０００９】
係止部１２は直線部１１の一端をフック状に折り曲げて形成されている。外側係止部１３は直線部１１から略直角に上へ折り曲げて形成した第１折り曲げ部１３ａと、第１折り曲げ部１３ａから横に折り曲げた第２折り曲げ部１３ｂと、第２折り曲げ部１３ｂから第１折り曲げ部１３ａと平行に下へ折り曲げた第３折り曲げ部１３ｃから構成される。
【００１０】
連結部１５は第３折り曲げ部１３ｃから直線部１１と平行に内側へ折り曲げられている。内側係止部１４は連結部１５からくの字に折り曲げた第４折り曲げ部１４ａと、第４折り曲げ部１４ａから逆くの字に折り曲げた第５折り曲げ部１４ｂから構成される。直線部１１の両端を上記の所要形状に折り曲げて、係止部１２、外側係止部１３、連結部１５、内側係止部１４を形成した後、焼き入れを行ってバネ性を付与する。
【００１１】
第１実施例に係るコンクリート型枠用間隔保持具の構造は以上の通りであって、次ぎにその使用方法を説明する。図２に示すように、間隔保持具１０のフック状の係止部１２を型枠ａの下端部のアウターフレームａ３に係止し、コンクリート型枠ａのベースフレームａ２を直線部１１に当接させる。ついで、この型枠ａに対向するコンクリート型枠ａの下端部を外側係止部１３と内側係止部１４との間に上から落とし込む。このとき、連結部１５を下方へ撓ませる。型枠ａのアウターフレームａ３が外側係止部１３に係止されると、撓んでいた連結部１５がスプリング力で復元し、型枠ａのベースフレームａ２に当接するとともに、内側係止部１４がスプリング力で型枠ａのパネル面ａ１に圧接する。こうして、型枠ａの下端部が外側係止部１３と内側係止部間１４に係合される。
【００１２】
両コンクリート型枠ａ間に注入されるコンクリートｇの圧力は高張力を有するピアノ線で受けられ、両型枠ａが所定間隔に保持される。コンクリートｇ硬化後、図３に示すように、型枠ａを取り外し、硬化したコンクリートｇから露出している係止部１２を直線部１１から切断して除去し、ついで外側係止部１３をペンチで掴み、コンクリートｇ中に埋設している直線部１１を引き抜く。
【００１３】
本発明の第２実施例に係るコンクリート型枠用間隔保持具を図４に示す。当該間隔保持具２０は直線部１１の両端にそれぞれ第１実施例に係る間隔保持具１０と同形状の外側係止部１３、連結部１５、内側係止部１４が形成され、内外両係止部間にコンクリート型枠ａの下端部が係合するように構成されている。そして、両連結部１５が直線部１１に関し対称位置（反対側）に設けられている。
【００１４】
第２実施例に係るコンクリート型枠用間隔保持具２０によれば、型枠ａを外した後に硬化したコンクリートｇから直線部１１の一部と連結部１５が露出するが、コンクリートｇに向かって見たとき常に右側に露出している部分がコンクリートｇ中に埋設している直線部１１に繋がっているので、この露出部分を切断して外側係止部１３を取り除き、他方の外側係止部１３を掴んで引き抜けば埋設されている直線部１１をコンクリートｇ中から抜き取ることができる。
【００１５】
本発明の第３実施例から第５実施例を図５から図７に示す。これら三実施例は直線部１１の少なくとも一端に形成される外側係止部、連結部、及び内側係止部の変更例であって、直線部１１の他端には係止部１２、或は同形状の型枠係止部が繋がっている。
【００１６】
図５に示す本発明の第３実施例に係るコンクリート間隔保持具は、外側係止部１６が直線部１１からほぼ直角に上へ折り曲げた第１折り曲げ部１６ａと中間部をU字形に屈曲して第1折り曲げ部の外側から内側にまわしこんだ第２折り曲げ部１６ｂと第２折り曲げ部から第1折り曲げ部と平行に下へ折り曲げた第３折り曲げ部１６ｃによって構成され、第３折り曲げ部１６ｃから直線部１１と平行に内側へ折り曲げられる直線部１５を介して、第１及び第２実施例と同形状の内側係止部１４に繋がる。
【００１７】
第３実施例に係るコンクリート型枠用間隔保持具は以上のように外側係止部１３が他の実施例と異なる構造であって、その使用方法を説明する。図５に示すようにコンクリート型枠ａの下端部を外側係止部１６と内側係止部１４との間に嵌入して、型枠ａのアウターフレームａ３を第２折り曲げ部１６ｂに掛止して、型枠ａを引き起こす。このとき内側係止部１４は内側に押圧される。型枠ａが垂直になると内側へ押圧されていた内側係止部１４はスプリング力で復元しようとして、型枠ａのパネル面ａ１を圧接する。こうして、型枠ａの下端部が外側係止部１６と内側係止部１４間に係止される。
【００１８】
図６に示す第４実施例に係るコンクリート型枠用間隔保持具は、外側係止部１６から連結部１７までは第３実施例と同形状であって、連結部１７は第１から第３実施例までの連結部１５よりも長さが短く型枠ａのベースフレームａ2の長さと同程度に形成されて、内側係止部１８は連結部１７から略直角に上へ折り曲げて形成した第４折り曲げ部１８ａと第４折り曲げ部１８ａから逆くの字に折り曲げた第５折り曲げ部１８ｂから構成される。
【００１９】
第４実施例に係るコンクリート型枠用間隔保持具は以上のように内側係止部１８が他の実施例と異なる構造であって、その使用方法を説明する。図６に示すようにコンクリート型枠ａの下端部を外側係止部１６と内側係止部１８との間に上から落とし込む。このとき、連結部１７を下方へ撓ませる。型枠ａのアウターフレームａ３が外側係止部１６に係止されると、撓んでいた連結部１７がスプリング力で復元し、型枠ａのベースフレームａ２に当接すると共に、内側係止部１８の第４折れ曲がり部１８ａがベースフレームａ２に当接する。こうして、型枠ａの下端部が外側係止部１６と内側係止部１８間に係合される。
【００２０】
図7に示す第５実施例に係るコンクリート型枠用間隔保持具は、内側係止部１８と連結部１７までは第４実施例と同形状であって、外側係止部１９は直線部１１に連設した正面視門形の第１折り曲げ部１９ａと中間部を側面視m形に屈曲形成した第2折り曲げ部１９ｂと、連結部１７に繋がる門形の第3折り曲げ部１９ｃから形成される。
【００２１】
第５実施例に係るコンクリート型枠用間隔保持具は以上のように外側係止部１９が他の実施例と異なる構造であって、その使用方法を説明する。図７に示すようにコンクリート型枠ａの下端部を外側係止部１９と内側係止部１８との間に上から落とし込む。このとき型枠ａのベースフレームａ２とアウターフレームａ３が接合する個所が外側係止部１９を外側に撓ませる。型枠ａのベースフレームａ２が連結部１７に当接すると、撓んでいた外側係止部１９がスプリング力で内側に復元し、外側係止部１９がアウターフレームａ３に係止される。こうして、型枠ａの下端部が外側係止部１９と内側係止部１８間に係合される。
【実施例２】
【００２２】
以下に請求項２に係る本発明を図に基づき説明する。図８には本発明の第６実施例に係るコンクリート型枠用間隔保持具が示されている。当該間隔保持具３０は所要形状に折り曲げた一本のピアノ線３０Ａとブラケット５１から成る。図9に示すように、ピアノ線３０Ａは直線部３１と、直線の一端に形成したフック状の係止部３２と、他端に形成した外側係止部３３、内側係止部３４及び内外両係止部３３，３４を連結する連結部３５を有する。
【００２３】
係止部３２は直線部３１の一端をフック状に折り曲げて形成されている。外側係止部３３は直線部３１から略直角に上へ折り曲げて形成した第１折り曲げ部３３ａと、第１折り曲げ部３３ａから横に折り曲げた第２折り曲げ部３３ｂと、第２折り曲げ部３３ｂから第１折り曲げ部３３ａと平行に下へ折り曲げた第３折り曲げ部３３ｃから構成される。
【００２４】
連結部３５は第３折り曲げ部３３ｃから直線部３１と平行に内側へ折り曲げられている。内側係止部３４は連結部３５から略直角に上へ折り曲げて構成される。直線部３１の両端を上記の所要形状に折り曲げて、係止部３２、外側係止部３３、連結部３５、内側係止部３４を形成した後、焼入れを行なう。
【００２５】
図８に示すように、ブラケット５１は、門形の折り曲げ部５１ａと断面コ字形を有し、上端開口部に第２折り曲げ部３３ｂが嵌合する切れ込みをいれた係止部５１ｂを有し、外側係止部３３の第２折り曲げ部３３ｂに下側からブラケット５１を嵌合して組み付けられている。
【００２６】
第６実施例に係るコンクリート型枠用間隔保持具の構造は以上の通りであって、次ぎにその使用方法を説明する。図１０に示すように、間隔保持具３０のフック状の係止部３２を一方の型枠ａの下端部のアウターフレームａ３に係止し、コンクリート型枠ａのベースフレームａ２を直線部３１に当接させる。ついで、この型枠ａに対向するコンクリート型枠ａの下端部を外側係止部３３に装着したブラケット５１と内側係止部３４との間に嵌合する。このとき、ブラケット５１の折り曲げ部５１ａを内側に折り曲げて型枠ａのアウターフレームａ３に係止する。こうして型枠ａの下端部が外側係止部３３と内側係止部３４間に係合される。
【００２７】
両コンクリート型枠間に注入されるコンクリートの圧力は高張力を有するピアノ線で受けられ、両型枠ａが所定間隔に保持される。コンクリートｇ硬化後、型枠ａを取り外し、硬化したコンクリートｇから露出している係止部３２を直線部３１から切断して除去し、ついで外側係止部３３をペンチで掴み、コンクリートｇ中に埋設している直線部３１を引き抜く。
【００２８】
本発明の第７実施例に係るコンクリート型枠用間隔保持具を図１１及び図１２に示す。当該間隔保持具４０は所要形状に折り曲げた一本のピアノ線４０Ａとピアノ線の両端に取り付けたブラケット５１から成り、ピアノ線４０Ａは直線部３１の両端にそれぞれ第６実施例に係る間隔保持具３０と同形状の外側係止部３３、連結部３５、内側係止部３４が形成され、両連結部３５が直線部３１に関し対称位置（反対側）に設けられている。そして、各外側係止部３３にブラケット５１が取付られている。
【００２９】
第７実施例に係るコンクリート型枠用間隔保持具４０によれば、型枠ａを外した後に硬化したコンクリートｇから直線部３１の一部と連結部３５が露出するが、コンクリートｇに向かって見たとき常に右側に露出している部分がコンクリートｇ中に埋設している直線部３１に繋がっているので、図１３に示すように、この露出部分を切断して外側係止部３３とブラケット５１を取り除き、他方の外側係止部３３に装着しているブラケット５１を取外し、その外側係止部３３を掴んで引き抜けば埋設されている直線部３１をコンクリートｇ中から抜き取ることができる。
【００３０】
図１４から図１９に第８実施例から第１３実施例に係るコンクリート型枠用間隔保持具を示す。これらの実施例は間隔保持具３０或は４０の外側係止部３３に装着されるブラケットの変更例であって、他の構成は第６実施例及び第７実施例と同じであるので、同一の構成要素に同一の符号を付して詳細な構造の説明を省略する。
【００３１】
図１４に示す第８実施例に係るコンクリート型枠用間隔保持具のブラケット５２は、門型の折り曲げ部５２ａ、断面コ字形を有し上端開口に第２折り曲げ部３３ｂが嵌合する切れ込みをいれた係止部５２ｂ、直線部３１と連結部３５が嵌合する溝を有するベース部５２ｃを備えている。このブラケット５２は直線部３１、連結部３５及び外側係止部３３上に載置され、外側係止部３３の第２折り曲げ部３３ｂに下側からブラケット５２の係止部５２ｂを嵌合して組み付けられている。
【００３２】
図１５に示す第９実施例に係るコンクリート型枠用間隔保持具のブラケット５３は、折り曲げ部５３ａと、第１折り曲げ部３３ａと第３折り曲げ部３３ｃを挟持する折り返し部５３ｂ，５３ｃと、第２折り曲げ部３３ｂに当接する当接部５３ｄが形成される。折り返し部５３ｂ，５３ｃは外側から折り返して第１折り曲げ部３３ａと第３折り曲げ部３３ｃを挟持し、溶接等されて外側係止部３３に装着される。
【００３３】
図１６に示す第１０実施例に係るコンクリート型枠用間隔保持具のブラケット５４は、コの字に形成した折り曲げ部５４ａの下端部を第１折り曲げ部３３ａと第３折り曲げ部３３ｃに溶接等して、ブラケット５４は外側係止部３３に装着される。
【００３４】
図１４から図１６に示す間隔保持具は、使用時に第６・第７実施例と同じようにコンクリート型枠ａの下端部を外側係止部３３に装着したブラケット５２，５３，５４と内側係止部３４との間に嵌合する。このとき、ブラケットの折り曲げ部５２ａ，５３ａ，５４ａを内側に折り曲げて型枠ａのアウターフレームａ３に係止する。こうして型枠ａの下端部が外側係止部と内側係止部間に係合される。
【００３５】
図１７に示す第１０実施例に係るコンクリート型枠用間隔保持具は、外側係止部３３の第２折り曲げ部３３ｂに、Ｔ字状の舌片５５を回動自由に装着したものである。該間隔保持具は使用時にコンクリート型枠ａの下端部を外側係止部３３と内側係止部３４との間に嵌合する。このとき、ブラケットの舌片５５は内側に折り曲げて型枠ａのアウターフレームａ３に係止する。こうして型枠ａの下端部が外側係止部３３と内側係止部３４間に係合される。
【００３６】
図１８に示す第１１実施例に係るコンクリート型枠用間隔保持具は、外側係止部３３の第２折り曲げ部３３ｂに、弾性を付与した板材５６を回動自由に装着したものである。該間隔保持具は使用時にコンクリート型枠ａの下端部を外側係止部３３と内側係止部３４との間に嵌合する。このとき、ブラケットの板材５６は内側に回動して型枠ａのアウターフレームａ３に係止する。こうして型枠ａの下端部が外側係止部３３と内側係止部３４間に係合される。
【００３７】
図１９に示す第１２実施例に係るコンクリート型枠用間隔保持具では、外側係止部３３’は直線部３１から斜め上へ折り曲げて形成した第１折り曲げ部３３ｄと、第１折り曲げ部３３ｄから斜め下へ折り曲げた第２折り曲げ部３３ｅから構成される。該間隔保持具は使用時にコンクリート型枠ａの下端部を外側係止部３３’と内側係止部３４との間に嵌合する。このとき、三角形に形成した外側係止部３３’の型枠ａのアウターフレームａ３から突出した部分に外側係止部３３’の内側からベースコンクリートｈに釘を打って型枠ａを固定する。こうして型枠ａの下端部が外側係止部３３’と内側係止部３４間に係合される。
【産業上の利用可能性】
【００３８】
本発明のコンクリート型枠用間隔保持具１０，２０，３０，４０は、主として建築物の基礎コンクリートの施工に用いられる。
【図面の簡単な説明】
【００３９】
【図１】本発明の第１実施例に係るコンクリート型枠用間隔保持具を示す斜視図である。
【図２】本発明の第１実施例に係るコンクリート型枠用間隔保持具の使用方法、特に型枠の嵌合方法を示す説明図である。
【図３】本発明の第１実施例に係るコンクリート型枠用間隔保持具の使用方法、特に間隔保持具の外し方を示す説明図である。
【図４】本発明の第２実施例に係るコンクリート型枠用間隔保持具を示す斜視図である。
【図５】本発明の第３実施例に係るコンクリート型枠用間隔保持具の主要部を示す部分正面図である。
【図６】本発明の第４実施例に係るコンクリート型枠用間隔保持具の主要部を示す部分正面図である。
【図７】本発明の第５実施例に係るコンクリート型枠用間隔保持具の主要部を示す部分正面図である。
【図８】本発明の第６実施例に係るコンクリート型枠用間隔保持具を示す斜視図である。
【図９】本発明の第６実施例に係るコンクリート型枠用間隔保持具のピアノ線を示す斜視図である。
【図１０】本発明の第６実施例に係るコンクリート型枠用間隔保持具の使用方法とくに型枠の嵌合方法を示す正面図である。
【図１１】本発明の第７実施例に係るコンクリート型枠用間隔保持具を示す斜視図である。
【図１２】本発明の第７実施例に係るコンクリート型枠用間隔保持具のピアノ線を示す斜視図である。
【図１３】本発明の第７実施例に係るコンクリート型枠用間隔保持具の使用方法、とくに外し方を示す説明図である。
【図１４】本発明の第８実施例に係るコンクリート型枠用間隔保持具の主要部を示す部分斜視図である。
【図１５】本発明の第９実施例に係るコンクリート型枠用間隔保持具の主要部を示す部分斜視図である。
【図１６】本発明の第１０実施例に係るコンクリート型枠用間隔保持具の主要部を示す部分斜視図である。
【図１７】本発明の第１１実施例に係るコンクリート型枠用間隔保持具の主要部を示す部分正面図である。
【図１８】本発明の第１２実施例に係るコンクリート型枠用間隔保持具の主要部を示す部分正面図である。
【図１９】本発明の第１３実施例に係るコンクリート型枠用間隔保持具の主要部を示す部分正面図である。
【図２０】従来の技術に係るコンクリート型枠用間隔保持具を示す斜視図である。
【符号の説明】
【００４０】
ａ…コンクリート型枠、ａ１…型枠パネル面、ａ２…型枠ベースフレーム、ａ３…型枠アウターフレーム、ｇ…打設するコンクリート、ｈ…ベースコンクリート、
１０，２０，３０，４０…コンクリート型枠用間隔保持具、１１，３１…直線部、１２，３２…係止部、１３，１６，１９，３３…外側係止部、１４，１８，４４…内側係止部、１５，１７，３５…連結部、５１，５２，５３，５４…ブラケット、５１ａ，５２ａ，５３ａ，５４ａ…ブラケット折り曲げ部、５５…舌片、５６…バネ状板材、５７…型枠抜け止め用釘。
【図１】
2005155237.tif 000003
【図２】
2005155237.tif 000004
【図３】
2005155237.tif 000005
【図４】
2005155237.tif 000006
【図５】
2005155237.tif 000007
【図６】
2005155237.tif 000008
【図７】
2005155237.tif 000009
【図８】
2005155237.tif 000010
【図９】
2005155237.tif 000011
【図１０】
2005155237.tif 000012
【図１１】
2005155237.tif 000013
【図１２】
2005155237.tif 000014
【図１３】
2005155237.tif 000015
【図１４】
2005155237.tif 000016
【図１５】
2005155237.tif 000017
【図１６】
2005155237.tif 000018
【図１７】
2005155237.tif 000019
【図１８】
2005155237.tif 000020
【図１９】
2005155237.tif 000021
【図２０】
2005155237.tif 000022